(57)【特許請求の範囲】
【請求項１】
レンズ本体内に配設されたマスターレンズ群の移動を位置制御する位置制御手段と、
前記マスターレンズ群の移動を速度制御する速度制御手段と、
前記位置制御手段及び速度制御手段のうちのいずれか一方を選択し、該選択した制御手段による制御を可能にさせる位置／速度切替手段と、
前記速度制御手段による速度制御時に、前記位置制御手段によって位置制御した位置をリミット位置として前記マスターレンズ群の移動を制限するリミット手段と、
を備えたことを特徴とするテレビカメラ用レンズ。
【請求項２】
前記リミット手段による前記マスターレンズ群の移動の制限を解除するリミット解除手段を備えたことを特徴とする請求項１記載のテレビカメラ用レンズ。
【請求項３】
前記リミット位置から前方方向の移動端までの第１の移動範囲、及び前記リミット位置から後方方向の移動端までの第２の移動範囲のうちいずれか一方の移動範囲を選択し、該選択した移動範囲内で前記マスターレンズ群の速度制御を可能にする速度制御範囲切替手段を備えたことを特徴とする請求項１又は２記載のテレビカメラ用レンズ。
【請求項４】
レンズ本体内に配設されたマスターレンズ群の移動を位置制御する位置制御手段と、
前記マスターレンズ群の移動を速度制御する速度制御手段と、
前記位置制御手段及び速度制御手段のうちのいずれか一方を選択し、該選択した制御手段による制御を可能にさせる位置／速度切替手段と、
前記マスターレンズ群の移動を制限するためのリミット位置を設定するリミット位置設定手段と、
前記速度制御手段による速度制御時に、前記位置制御手段によって位置制御した位置を第１のリミット位置として前記マスターレンズ群の移動を制限する第１のリミット手段と、
前記速度制御手段による速度制御時に、前記リミット位置設定手段によって設定したリミット位置を第２のリミット位置として前記マスターレンズ群の移動を制限する第２のリミット手段と、
を備えたことを特徴とするテレビカメラ用レンズ。
【請求項５】
前記第１及び第２のリミット手段のうちの少なくとも一方のリミット手段による前記マスターレンズ群の移動の制限を解除するリミット解除手段を備えたことを特徴とする請求項４記載のテレビカメラ用レンズ。
【請求項６】
前記第１のリミット位置から前方方向の移動端までの第１の移動範囲、及び前記第１のリミット位置から後方方向の移動端までの第２の移動範囲のうちいずれか一方の移動範囲を選択し、該選択した移動範囲内で前記マスターレンズ群の速度制御を可能にする速度制御範囲切替手段を備えたことを特徴とする請求項４又は５記載のテレビカメラ用レンズ。
【発明の詳細な説明】
【０００１】
【発明の属する技術分野】
本発明はテレビカメラ用レンズに係り、特にマスターレンズ群の移動制御を位置制御と速度制御によって行うテレビカメラ用レンズの駆動制御技術に関する。
【０００２】
【従来の技術】
放送用テレビカメラにおいては、撮影レンズ系のマスターレンズ群を光軸に沿って進退移動させる。この進退運動は、位置制御と速度制御とによって行われている。このような、マスターレンズ群を、位置制御と速度制御とによって移動操作するように構成されたテレビカメラ用レンズでは、目的に応じて、位置制御と速度制御とを切り換える。
【０００３】
トラッキング位置を調整する際には、位置制御によってマスターレンズ群を移動させ、レンズ結像位置の微調整（トラッキング）を行う。これにより、マスターレンズ群をトラッキング位置に移動できるようになっている。
一方、映像の特殊効果をねらって前記マスターレンズ群を意図的に移動させ、撮影像をぼかす際には、速度制御によってマスターレンズ群を移動させる。このようなぼかし撮影を行う場合は、マスターレンズ群を、先程設定されたトラッキング位置から所望の速度で移動させる。
【０００４】
【発明が解決しようとする課題】
しかしながら、ぼけた状態から、マスターレンズ群を速度制御して、一度調整したトラッキング位置で正確に停止させるのは困難であるという問題がある。
本発明は、このような事情に鑑みてなされたもので、マスターレンズ群を速度制御しながら、所望の位置で確実に停止させることのできるテレビカメラ用レンズを提供することを目的とする。
【０００５】
【課題を解決するための手段】
本発明は、前記目的を達成する為に、レンズ本体内に配設されたマスターレンズ群の移動を位置制御する位置制御手段と、前記マスターレンズ群の移動を速度制御する速度制御手段と、前記位置制御手段及び速度制御手段のうちのいずれか一方を選択し、該選択した制御手段による制御を可能にさせる位置／速度切替手段と、前記速度制御手段による速度制御時に、前記位置制御手段によって位置制御した位置を前記マスターレンズ群の移動可能な範囲を制限するリミット位置として設定するリミット手段と、を備えたことを特徴とする。
【０００６】
本発明によれば、位置／速度切替手段で位置制御手段による制御を選択し、マスターレンズ群を位置制御して移動させる。
その後、位置／速度切替手段で速度制御手段による制御を選択し、マスターレンズ群を速度制御して移動させる。この時、先に位置制御手段によって位置制御した位置は、速度制御によって移動可能な範囲のリミット位置に設定される。これにより、速度制御手段によって速度制御されるマスターレンズ群は、リミット位置を超えて移動することができない。よって、マスターレンズ群を速度制御によって最初に位置制御した位置と同じ位置で停止させることができる。
【０００９】
【発明の実施の形態】
以下添付図面に従って、本発明に係るテレビカメラ用レンズの好ましい実施の形態について詳説する。
図１は本発明が適用されたテレビカメラ用レンズの側面図であり、部分的に内部構造が示されている。図中左側のフード１１で覆われている部分がレンズ本体１０の前方にあたり、図中右端面にテレビカメラが固定連結される。レンズ本体１０は略直方形状のカバー１２に覆われ、カバー１２は左右側面に設けられた固定ネジ１４によってレンズ本体１０と着脱自在に固定されている。カバー１２の側面上部中央には、レンズを持ち運ぶ為の把手となる凹部１６が形成され、該凹部１６の前方にはタリーランプ窓１８が形成されている。
【００１０】
レンズ本体１０の内部について詳しくは図示されていないが、レンズ本体１０の鏡胴内には、前側から順に固定フォーカスレンズ群、移動フォーカスレンズ群、第１移動ズームレンズ群、第２移動ズームレンズ群、及びマスターレンズ群２０等が設けられている。
撮影レンズ系のマスターレンズ群２０は、レンズ保持筒２２に保持され、固定鏡胴２４の最後部に前後方向に移動自在に連結されている。固定鏡胴２４の周面には軸に平行なガイド穴が形成されており、このガイド穴に、レンズ保持筒２２に植設されたピン２６が嵌入している。また、固定鏡胴２４の外周面に回動自在に組付けられたカム筒２８には、軸に対して斜め方向に一定幅のカム溝が形成され、前記レンズ保持筒２２のピン２６は、このカム溝に嵌合している。
【００１１】
また、レンズ本体１０には、前記マスターレンズ群２０を駆動する駆動モータ３０と、マスターレンズ群２０の位置を検出するポテンショメータ３２とが配設されている。前記モータ３０の駆動力は、ギヤ３４、３５によって前記カム筒２８に伝達される。カム筒２８が回転するとレンズ保持筒２２が固定鏡胴２４に対して前後に移動する。その回転量に応じて前記ポテンショメータ３２がマスターレンズ群２０の位置を示す位置検出信号を出力する。
【００１２】
カバー１２の後方、マウントフレーム４０の側面下部には前記マスターレンズ群２０の駆動を操作するための回転式のフランジバック調整ツマミ４２が設けられている。フランジバック調整ツマミ４２には図示しないポテンショメータが設けられており、ツマミの回転量に応じた位置指令信号が出力される。この位置指令信号は、制御回路５２（図１中不図示）に入力され、位置指令信号に応じたサーボ信号によってモータ３０が駆動される。モータ３０が回転するとその回転力はギアを介してポテンショメータ３２及びカム筒２８に伝達され、レンズ保持筒２２が光軸に沿って前後に移動する。
【００１３】
従って、フランジバック調整ツマミ４２を回動操作することによって、マスターレンズ群２０を位置制御で光軸に沿って進退移動させ、テレビカメラの受像面にレンズの結像位置を調整（トラッキング調整）することができる。
また、フランジバック調整ツマミ４２の同軸上には、固定ツマミ４４が設けられている。この固定ツマミ４４は、前記フランジバック調整ツマミ４２で調整したトラッキング位置がずれないように、前記フランジバック調整ツマミ４２の回動をロックするためのものである。即ち、フランジバック調整ツマミ４２を操作して、マスターレンズ群２０の位置を調整した後、該固定ツマミ４４を時計回転方向に回すと、前記フランジバック調整ツマミ４２の回転軸の回転が固定され、一度調整したマスターレンズ群の位置が不測の外力を受けて移動しないようにすることができる。
【００１４】
次にマスターレンズ群の駆動制御系について説明する。
図２は、マスターレンズ群の駆動制御系の構成を示すブロック図である。テレビカメラ用レンズ１００には、マスターレンズ群２０を制御するための位置コントロール信号発生手段５０、制御回路５２、及びリミット回路６５等が設けられている。
【００１５】
位置コントロール信号発生手段５０は、図１に示したフランジバック調整ツマミ４２と該ツマミ４２に設けられたポテンショメータに相当し、フランジバック調整ツマミ４２が回転操作されると、その回転量に応じてマスターレンズ群２０の移動位置を指令する電気信号を出力する。この電気信号は制御回路５２に入力される。
【００１６】
制御回路５２は、入力した電気信号に応じたサーボ信号を出力し、モータ３０を駆動する。モータ３０が回転するとその回転力によって前述の如くカム筒２８が回動し、マスターレンズ群２０が光軸に沿って前後に移動する。マスターレンズ群２０の位置はポテンショメータ３２によって検出され、その位置検出信号は制御回路５２に通知される。制御回路５２は、この位置検出信号が示す位置と前記位置コントロール信号発生手段５０から指令された位置とが一致したときモータ３０の駆動を停止する。これにより、追従性の高い位置制御が可能となっている。
【００１７】
また、モータ３０にはタコジェネレータ５３が接続されており、該タコジェネレータ５３によってモータ３０の回転数が検出されている。タコジェネレータ５３からの信号は前記制御回路５２に加えられ、モータ３０の速度制御に利用されている。
一方、このテレビカメラ用レンズ１００には、速度制御用コントローラ６０が接続されている。速度制御用コントローラ６０には、速度指令信号を発生するスピードコントロール信号発生手段６１と、このスピードコントロール信号発生手段６１からの速度指令信号と前記位置コントロール信号発生手段５０からの位置指令信号のうち、何れの指令信号を優先させるかを選択的に設定する位置／スピード切替スイッチ６２が設けられている。
【００１８】
位置／スピード切替スイッチ６２を「位置」側に設定すると、その旨を示す信号がレンズ１００側の制御回路５２に加えられ、位置コントロール信号発生手段５０からの指令が有効となり、スピードコントロール信号発生手段６１からの速度指令は無効となる。つまり、制御回路５２側では、スピードコントロール信号発生手段６１からの速度指令信号を無視し、位置コントロール信号発生手段５０からの位置指令の信号に基づいてサーボ信号を出力する。これにより、マスターレンズ群２０がモータ３０に駆動され、トラッキング位置の調整が行われる。
【００１９】
他方、位置／スピード切替スイッチ６２を「速度」側に設定すると、その旨を示す信号がリミット回路６５を介して制御回路５２に加えられ、スピードコントロール信号発生手段６１からの速度指令が有効となり、位置コントロール信号発生手段５０からの指令は無効となる。即ち、制御回路５２側では、位置コントロール信号発生手段５０からの指令信号を無視し、スピードコントロール信号発生手段６１からの速度指令の信号に基づいてサーボ信号を出力する。
【００２０】
この時、前記リミット回路６５には、先に調整されたトラッキング位置が、位置コントロール信号発生手段５０から入力され、該トラッキング位置が、マスターレンズ群２０の移動可能な範囲を制限するリミット位置に設定される。前記リミット回路６５には、ポテンショメータ３２によって検出されたマスターレンズ群２０の位置が通知され、前記移動可能な範囲外にマスターレンズ群２０が移動するのを防止する。これにより、速度制御でマスターレンズ群２０を先に調整されたトラッキング位置へ確実に復帰させることができる。
【００２１】
前記リミット回路６５には、リミットＯＮ／ＯＦＦスイッチ６６が接続され、速度制御のリミット位置による移動制限を解除することができる。これにより、通常の速度制御を行うことができる。
また、リミット回路６５には、速度制御範囲切替スイッチ６７が接続され、速度制御における移動可能な範囲を、前記リミット位置から前方方向の移動端まで、及び前記リミット位置から後方方向の移動端までの何れか一方を選択することができる。尚、リミット回路６５は、テレビカメラ用レンズ１００側に設けらているが、速度制御用コントローラ６０側に設けるようにしてもよい。
【００２２】
上記の如く構成されたテレビカメラ用レンズの作用について説明する。
先ず、図２に示した位置／スピード切替スイッチ６２をトラッキングコントロール側に設定し、前記位置コントロール信号発生手段５０からの指令信号を有効にする。そして、フランジバック調整ツマミ４２を操作しつつ、テレビカメラ１２０のビューファインダー１２２で結像状態を確認しながら、最適なピント位置（トラッキング位置）に調節する（図５参照）。
【００２３】
トラッキング位置が定まったら、固定ツマミ４４を回転してフランジバック調整ツマミ４２の回転をロックし、調整したトラッキング位置が不測の外力等によってずれないようにする。
その後の通常の撮影においては、例えば、図５に示すようにフォーカスデマンド（フォーカスリング）１２４を右手で操作することによってフォーカスレンズ（移動フォーカスレンズ群）を移動させてピント調整をおこない、左手でズームリング１２６を操作することでズームレンズ群（第１及び第２のズームレンズ群）を所定の光学的位置関係で規定しながら移動させて変倍調整を行う。前記フォーカスリング１２４からは位置コントロール信号が出力され、フォーカスレンズはこの位置制御に基づいて駆動される。一方、前記ズームリング１２６を含むズームコントローラからは速度制御信号が出力され、ズームレンズ群はこの速度制御信号に基づいて速度制御されて駆動される。
【００２４】
特殊効果をねらった撮影を行う際には、図２に示した位置／スピード切替スイッチ６２を速度制御用コントローラ６０側に設定し、スピードコントロール信号発生手段６１からの指令を有効にする。このとき位置コントロール信号発生手段５０からの信号は無視されるが、先に調整されたトラッキング位置を示す位置指令状態は維持されている。
【００２５】
例えば、ぼかし撮影によって１つの像がぼけていくという映像上の特殊効果を得る際には、映像効果をねらって意図的にマスターレンズ群２０を移動させる。この場合、図２に示した位置／スピード切替スイッチ６２を「速度」側に設定し、スピードコントロール信号発生手段６１からの指令を有効にする。そして、速度制御範囲切替スイッチ６７でマスターレンズ群２０の移動範囲を設定し、スピードコントロール信号発生手段６１の操作部材を操作してマスターレンズ群２０を移動させる。マスターレンズ群２０は、トラッキング位置から速度制御され、光軸に沿ってスムーズに移動し、映像が自然な感じでぼけていく。このような特殊効果をねらった操作が容易に行うことができる。
【００２６】
また、ぼけた状態から先に調整したトラッキング位置まで、マスターレンズ群２０を速度制御によって移動させる際には、該トラッキング位置の方向へ所望の速度で移動させる。マスターレンズ群２０の位置はポテンショメータ３２によって検出され、マスターレンズ群２０が先に設定したリミット位置にあることが、リミット回路６５に通知されたら、強制的に速度指令が０となり、モータ３０の駆動が停止される。これにより、マスターレンズ群２０を速度制御によって確実に、先に調整したトラッキング位置に移動させることができる。
【００２７】
尚、リミットＯＮ／ＯＦＦスイッチ６６によって、リミット解除信号がリミット回路６５に入力されれば、上記リミット位置での停止制御が解除され、通常の速度制御を行うことができる。また、マクロ撮影を行う際にも、マスターレンズ群２０の移動は速度制御によって行う。この場合は、図５に示したズームリング１２６を操作してズームレンズ群を移動させることでピントの調整を行うことができる。上記特殊効果を意図した操作、あるいはマクロ撮影の後に、位置／スピード切替スイッチ６２を再び「位置」側に設定すると、位置コントロール信号発生手段５０からの指令信号が有効になり、先に調整したトラッキング位置に自動的に復帰する。
【００２８】
このように、トラッキング位置を一旦設定した後には、速度制御用コントローラ６０で任意に操作した場合でも、位置コントロール信号発生手段５０側でトラッキング位置の指令を維持しているので、トラッキング位置に繰り返し、正確に自動復帰させることができる。
図３は本発明に係るテレビカメラ用レンズにおけるマスターレンズ群の駆動制御系の他の実施の形態を示すブロック図である。尚、図２と共通する部分には同一の符号を付し、その詳細な説明は省略する。また、図３に示した第１のリミット回路６８及び第１のリミットＯＮ／ＯＦＦスイッチ６９は、それぞれ図２に示したリミット回路６５及びリミットＯＮ／ＯＦＦスイッチ６６と同一の機能を有するものである。
【００２９】
さて、図３に示す実施の形態では、図２に示した速度制御用コントローラ６０の代わりに速度制御用コントローラ７０が設けられている点で、図２に示した実施の形態と異なっている。
この速度制御用コントローラ７０には、図２に示したスピードコントロール信号発生手段６１及び位置／スピード切替スイッチ６２の他に、新たにリミット信号発生手段７２、第２のリミットＯＮ／ＯＦＦスイッチ７０及び第２のリミット回路７６が設けられている。
【００３０】
リミット信号発生手段７２は、マスターレンズ群２０の移動を制限するための位置（第２のリミット位置）をマニュアル設定するもので、第２のリミット位置を指令する電気信号を出力する。この電気信号は第２のリミット回路７６に入力される。
第２のリミット回路７６には、スピードコントロール信号発生手段６１から速度指令信号が加えられるとともに、ポテンショメータ３２がマスターレンズ群２０の位置を示す位置検出信号が加えられている。第２のリミット回路７６は、通常はスピードコントロール信号発生手段６１からの速度指令信号をそのまま第１のリミット回路６８に出力するが、ポテンショメータ３２によって検出したマスターレンズ群２０の移動位置がリミット信号発生手段７２によって設定した第２のリミット位置に達すると、スピードコントロール信号発生手段６１から出力される速度指令にかかわらず、第１のリミット回路６８に送出する速度指令をゼロにする。これによりマスターレンズ群２０を速度制御する場合に、位置コントロール信号発生手段５０によって調整した位置（第１のリミット位置）の他に、リミット信号発生手段７２によって設定した第２のリミット位置でも正確に停止させることができる。尚、リミット回路７６は、速度制御用コントローラ７０側に設けられているが、第１のリミット回路６８と同様にテレビカメラ用レンズ側に設けるようにしてもよい。
【００３１】
図４は図３に示した実施の形態の場合のマスターレンズ群２０の移動範囲を示した概念図である。同図において、位置Ａ，Ｂはそれぞれマスターレンズ群２０が移動できるメカ的なリミット位置である。位置Ｃは位置コントロール信号発生手段５０によって調整された第１のリミット位置である。
ここで、リミット信号発生手段７２によって図４上で位置Ｄを第２のリミット位置として設定し、また、速度制御範囲切替スイッチ６７によって位置Ａ−Ｃ間での速度制御が選択されている場合には、マスターレンズ群２０の移動範囲は、位置Ｃ−Ｄ間でのみ移動可能になる。尚、第２のリミット位置Ｄは、位置Ｃ−Ｂ間にも設定できるが、この場合には、速度制御範囲切替スイッチ６７によって位置Ｃ−Ｂ間での速度制御を選択する必要がある。また、この実施の形態では、位置Ｄを設定するリミット信号発生手段７２は１つであるが、２つのリミット信号発生手段を設け、それぞれ図４上で左端及び右端の２つのリミット位置を設定できるようにしてもよい。
【００３２】
尚、この実施の形態では、マスターレンズ群全体を移動させる場合について説明したが、マスターレンズ群を構成するレンズの一部を移動させる場合にも本発明は適用できる。
次に、通常撮影時のマスターレンズ群のトラッキング位置とマクロ撮影時のマスターレンズ群の位置（以下、「マクロ位置」という。）を所望の位置に設定できるようにするとともに、通常撮影時においてマクロ位置を上記第２のリミット位置として使用できるようにしたテレビカメラ用レンズの実施の形態について説明する。
【００３３】
図６は、この場合のマスターレンズ群の駆動制御系の構成を示した図であり、図７は、マスターレンズ群をコントロールするコントローラの外観を示した正面図である。図６に示すようにテレビカメラ用レンズ２００には、位置コントロール信号発生手段５０、切替回路２０２、制御回路２０４及びマスターレンズ群２０等が設けられ、コントローラ２２０には、マクロ位置設定手段２２２、マクロ切替手段２２４、スピード調整手段２２６が設けられている。コントローラ２２０のマクロ位置設定手段２２２、マクロ切替手段２２４及びスピード調整手段２２６は、図７に示すようにそれぞれマクロ位置調整ツマミ２３０、マクロ切替スイッチ２３２及びスピード調整ツマミ２３４の部材によって操作されるようになっている。
【００３４】
図６に示す上記位置コントロール信号発生手段５０は上記実施の形態において説明したものと同様であり、図１に示したフランジバック調整ツマミ４２が回転操作されると、位置コントロール信号発生手段５０のポテンショメータ５０Ａがその回転位置に応じた電圧信号を切替回路２０２に出力する。上述したようにこの位置コントロール信号発生手段５０によってトラッキング位置、即ち、第１のリミット位置が設定される。尚、図８にマスターレンズ群２０の全移動範囲（Ａ−Ｂ）に対して設定されるトラッキング位置（第１のリミット位置）ａを示す。
【００３５】
また、コントローラ２２０のマクロ位置設定手段２２２は、ポテンショメータ２２２Ａを有し、図７に示したマクロ位置調整ツマミ２３０が回転操作されるとポテンショメータ２２２Ａがその回転位置に応じた電圧信号を切替回路２０２に出力する。後述するようにこのマクロ位置設定手段２２２によってマクロ撮影時のマスターレンズ群２０のマクロ位置が設定される。尚、図８にマスターレンズ群２０の全移動範囲に対するマクロ位置ｂが示されており、このマクロ位置がマスターレンズ群２０の可動範囲を制限する上記第２のリミット位置として作用する。
【００３６】
切替回路２０２は、上記コントローラ２２０のマクロ切替手段２２４の切替スイッチ２２４Ａの状態に基づいてスイッチ２０２Ａ、２０２Ｂのオン・オフの状態を切り替え、上記位置コントロール信号発生手段５０からの電圧信号と、上記マクロ位置設定手段２２０からの電圧信号のうちいずれか一方の電圧信号を次段の制御回路２０４に出力する。
【００３７】
即ち、図７に示したマクロ切替スイッチ２３２に連動するマクロ切替手段２２４の切替スイッチ２２４Ａがオフされると、切替回路２０２のトランジスタ２０２Ｃがオンの状態となり、この場合には、スイッチ２０２Ａがオンの状態になるとともに、スイッチ２０２Ｂがオフの状態になる。これにより、マクロ位置設定手段２２２の操作が無効となり、位置コントロール信号発生手段５０の操作が有効となって位置コントロール信号発生手段５０からの電圧信号が制御回路２０４に入力される。
【００３８】
一方、マクロ切替手段２２４の切替スイッチ２２４Ｂがオンされると、トランジスタ２０２Ｃがオフの状態となり、この場合には、スイッチ２０２Ａがオフの状態になるとともにスイッチ２０２Ｂがオンの状態になる。これにより、位置コントロール信号発生手段５０の操作が無効となり、マクロ位置設定手段２２２の操作が有効となってマクロ位置設定手段２２２からの電圧信号が制御回路２０４に入力される。
【００３９】
制御回路２０４は、上記切替回路２０２から入力した電圧信号の示す位置にマスターレンズ群２０を移動させるとともに、スピード調整手段２２６によって調整されたスピードでその移動を実行する。具体的には、上記切替回路２０２から入力した電圧信号をバッファ２０４Ａを介して差動増幅器２０２Ｂの−端子に入力するとともに、マスターレンズ群２０の位置を検出するポテンショメータ３２からの電圧信号を差動増幅器の＋端子に入力する。そして、これらの電圧信号の差分を増幅してコントローラ２２０のスピード調整手段２２６を介してモータドライブ回路２０４Ｃに入力する。即ち、位置コントロール信号発生手段５０又はマクロ位置設定手段２２２によって指示されたマスターレンズ群２０の位置と、現在のマスターレンズ群２０の位置との差を検出し、その差を示す電圧信号をスピード調整手段２２６を介してモータドライブ回路２０４Ｃに入力する。
【００４０】
スピード調整手段２２６は、ポテンショメータ２２６Ａを有しており、ポテンショメータ２２６Ａの摺動子端子（出力端子）の位置は図７に示したスピード調整ツマミ２３４の回転位置に連動して変化するようになっている。これにより、上記制御回路２０４から入力した電圧信号はスピード調整ツマミ２３４の回転位置に応じた電圧信号に変換される。
【００４１】
モータドライブ回路２０４Ｃは、スピード調整手段２０６を介して入力された電圧信号に基づいてその電圧信号が０（上記差が０）となる方向にモータ３０を回転させるとともに、モータ３０を上記電圧信号の大きさに応じた回転速度で回転させる。尚、モータ５３の回転速度はタコジェネレータ５３によって検出され、モータドライブ回路２０４Ｃに帰還される。
【００４２】
これにより、マスターレンズ群２０は切替手段２２４によって指示された位置コントロール信号発生手段５０又はマクロ位置設定手段２２２の位置に移動するとともに、その移動速度はスピード調整手段２２６によって調整される。
上述の如く構成されたテレビカメラ用レンズの作用について説明する。まずマクロ切替手段２２４の切替スイッチ２２４Ａをオフにした場合、位置コントロール信号発生手段５０の操作が有効となり、制御回路２０４には位置コントロール信号発生手段５０からの電圧信号が入力される。これにより、位置コントロール信号発生手段５０のフランジバック調整ツマミ４２によって設定した位置にマスターレンズ群３０が移動するようになる。そして、このときにフランジバック調整ツマミ４２の回転位置を調整することによってトラッキング位置（第１のリミット位置）（図８参照）を調整することができる。
【００４３】
次に、マクロ切替手段２２４の切替スイッチ２２４Ａをオンにした場合、マクロ位置調整手段２２０の操作が有効となり、制御回路２０４にはマクロ位置調整手段２２０からの電圧信号が入力される。これにより、マクロ位置調整手段２２０のマクロ位置調整ツマミ２３０によって設定した位置にマスターレンズ群３０が移動するようになる。そして、このマクロ位置調整ツマミ２３０の回転位置を調整することによりマクロ撮影時のマスターレンズ群３０のマクロ位置を所望の位置に調整することができるとともに、通常撮影時のぼかし操作における上記第２のリミット位置（図８参照）を所望位置に設定することができる。
【００４４】
通常撮影時において特殊効果をねらったぼかし操作を行う場合、上記スピード調整手段２２６のスピード調整ツマミ２３４を調整して、マクロ切替手段２２４の切替スイッチ２２４Ａ（マクロ切替スイッチ２３２）をオフからオン又はオンからオフに切り替える。マクロ切替手段２２４の切替スイッチ２２４Ａをオフからオンに切り替えた場合、マスターレンズ群２０はスピード調整手段２２６のスピード調整ツマミ２３４によって設定した速度でトラッキング位置からマクロ位置、即ち、第１のリミット位置から第２のリミットの位置まで移動するようになる。逆に、切替スイッチ２２４Ａをオンからオフに切り替えた場合、マスターレンズ群２０はスピード調整手段２２６のスピード調整ツマミ２３４によって設定した速度でマクロ位置からトラッキング位置に移動する。
【００４５】
このように特殊効果をねらったぼかし操作を行う場合に、マクロ位置調整手段２２２によって所望の第２のリミット位置を調整するとともに、スピード調整手段２２６によって所望の移動速度に調整することにより、スイッチ（マクロ切替スイッチ２３２）の簡単なオン・オフ操作によって所望のスピードでマスターレンズ群２０を移動させて所望のぼかし状態に設定することができるようになる。また、スイッチのオン・オフ操作によって容易にマスターレンズ群２０を元のトラッキング位置に復帰させることができる。
【００４６】
【発明の効果】
以上説明したように本発明に係るテレビカメラ用レンズによれば、位置制御手段によって位置制御したマスターレンズ群の位置をリミット位置とし、速度制御時にそのリミット位置でマスターレンズ群の移動を制限するようにしたため、マスターレンズ群を速度制御しながら確実に所望の位置で停止させることができる。また、上記位置制御手段によって設定されたリミット位置とは別のリミット位置も設定できるようにしたため、これらの２つのリミット位置の間でマスターレンズ群を速度制御しらながら各リミット位置で確実に停止させることができる。
【図面の簡単な説明】
【図１】本発明が適用されたテレビカメラ用レンズの側面図
【図２】マスターレンズ群の駆動制御系の構成を示すブロック図
【図３】マスターレンズ群の駆動制御系の他の構成を示すブロック図
【図４】速度制御時のマスターレンズ群の移動範囲を示した概念図
【図５】テレビカメラ用レンズの操作の様子を示す斜視図
【図６】マスターレンズ群の駆動制御系の他の構成を示すブロック図
【図７】コントローラの外観を示す正面図
【図８】マスターレンズ群の移動範囲を示した概念図
【符号の説明】
１０…レンズ本体
２０…マスターレンズ群
３０…モータ
３２…ポテンショメータ
４２…フランジバック調整ツマミ
５０…位置コントロール信号発生手段
５２…制御回路
６０、７０…速度制御用コントローラ
６１…スピードコントロール信号発生手段
６２…位置／スピード切替スイッチ
６５…リミット回路
６６…リミットＯＮ／ＯＦＦスイッチ
６７…速度制御範囲切替スイッチ
６８…第１のリミット回路
６９…第１のリミットＯＮ／ＯＦＦスイッチ
７２…リミット信号発生手段
７４…第２のリミットＯＮ／ＯＦＦスイッチ
７６…第２のリミット回路
１００…テレビカメラ用レンズ
１２０…テレビカメラ
【図１】
0003940818.tif 000002
【図２】
0003940818.tif 000003
【図３】
0003940818.tif 000004
【図４】
0003940818.tif 000005
【図５】
0003940818.tif 000006
【図６】
0003940818.tif 000007
【図７】
0003940818.tif 000008
【図８】
0003940818.tif 000009